(57)【特許請求の範囲】
【請求項１】
建物の被固定面に取り付けられる取付部と、この取付部の前面に突設された支持腕とを備えている樋支持具において、前記取付部の上面から側面にわたって連続した溝が形成されていることを特徴とする樋支持具。
【発明の詳細な説明】
【０００１】
【産業上の利用分野】
本発明は軒樋や竪樋などの各種樋を、建物の柱や壁、鼻隠し板などの被固定面に取り付ける樋支持具に関する。
【０００２】
【従来の技術】
従来、軒樋支持具などの樋支持具には種々のものがあるが、これらの共通する点は、建物の被固定面に取り付けられる取付部と、この取付部の前面に突設された支持腕とを備えた樋支持具の取付部を建物の軒先に釘にて取り付け、支持腕に例えば軒樋の両耳部を支持させて使用するものである（例えば実公平４−２４０２４号公報を参照。）。
そして、軒樋の底部表面にて跳ねた雨水や、竪樋の表面を伝わった雨水が建物の被固定面を濡らすことがないように、何らかの水切り構造を樋支持具に設けることが一般的である。
【０００３】
例えば実開平２−２７４２６号公報においては、両端部に軒樋の耳部を保持する保持部を有する吊り具本体と、家屋側に取り付けられる取付部とを連結する横向き片の上面に上方に向けて逆流防止片を立設した軒樋吊り具が記載されている。
また、実開昭６２−１９６８２５号公報においては、竪樋を支持する支持枠と、被固定面に当接固定される固定板とを連結する連結部の断面形状を上方が先細り形状とした樋支持具が記載されている。
【０００４】
【発明が解決しようとする課題】
しかし、上記前者の軒樋吊具のように、横向き片の上面に逆流防止片を立設ししても、完全に雨水を遮断することは難しい。すなわち、屋根の下端から軒樋内に流れ込む雨水や軒樋内に直接降る込む雨水は、軒樋の底部表面に当たって、勢い良く飛び跳ねるので、この跳ねた雨水が上記逆流防止片の上を乗り越え、この雨水が横向き片の上面を伝わって屋内側に進行し、建物の外壁や鼻隠し板を濡らすという問題があった。
【０００５】
また、上記後者の樋支持具においても同様に完全に雨水を遮断することは難しい。すなわち、上方に向けて先細りの断面形状とされた連結部の上に落下した雨水は、両側の傾斜面に沿って下方に流れ落ちるが、横風などがある場合は、建物の外壁の方向へ斜め方向に流れて外壁や鼻隠し板を濡らすことになる。また、横風などがない場合でも、樋支持具の取付状況によっては、雨水が連結部の下端を伝わって屋内側に流れて外壁や鼻隠し板を濡らすという問題があった。
【０００６】
いずれにしても、上記従来の軒樋吊具や樋支持具における水切り構造では、完全に雨水を遮断することは困難であった。
本発明は上記従来の問題を解消しようとするものであり、その目的とするところは、雨水の飛散などにより建物の外壁や鼻隠し板などの被固定面を濡らすことのない樋支持具を提供することである。
【０００７】
【課題を解決するための手段】
本発明は、建物の被固定面に取り付けられる取付部と、この取付部の前面に突設された支持腕とを備えている樋支持具において、前記取付部の上面から側面にわたって連続した溝が形成されているものである。
本発明において、樋支持具とは、軒樋受具、軒樋吊具、竪樋支持具などを総称していうものである。
【０００８】
【作用】
本発明の樋支持具においては、建物の被固定面に取り付けられる取付部の上面から側面にわたって連続した溝部が形成されているので、支持腕の上面や軒樋の底部表面で跳ねた雨水や、直に支持腕に降った雨水が支持腕に付着し、支持腕の上面を伝わって被固定面側に流れていく雨水は、取付部の上面に形成された溝の部分にて遮断され、この溝内に流れ込んだ雨水は側面に形成された溝を通じて下方に落下する。このため、雨水により建物の被固定面を濡らして汚すことがない。
【０００９】
また、建物の被固定面に取り付けた樋支持具を被固定面より外す際に、バールやドライバーなどの治具を上記の溝、特に取付部の側面に形成した溝に引っかけて、建物の被固定面を傷つけることなく取り外し作業を行える。
【００１０】
【実施例】
以下、本発明の実施例を図面に基づいて説明する。
図１は本発明における樋支持具の一例である軒樋吊り具を示す斜視図、図２は図１の軒樋吊り具の使用状態を示す説明図、図３は図１のＸ−Ｘ線における切断端面図である。
【００１１】
図１において、Ａはポリカーボネート樹脂製の軒樋吊り具であり、この軒樋吊り具Ａは取付部１と支持腕２とから構成されている。
取付部１は下部側面が先細りの曲面状となされた板状体であり、表面には突起１１が上方に傾斜して形成され、かつ、外周縁には３個の通孔１２が設けられ、釘などの固着具３にて柱や壁、鼻隠し板などの被固定面Ｂに取り付けられるようになっている。
【００１２】
支持腕２は、図３に示すように、断面形状がＩ字形状のものであり、取付部１の前面（表面）のうち突起１１より所定距離上方に離れた位置から屋外側に一体に突設されている。この支持腕２の先端には上方に屈曲片が形成されて軒樋Ｂの屋外側耳部Ｂ１を支持する屋外側耳支持部２２となされ、一方、屋内側の基端部下面には取付部１の突起１１と対向して板バネ２３が設けられている。この取付部１の突起１１の先端と、支持腕２の板バネ２３の先端との間隔は、軒樋Ｂの屋内側耳部Ｂ２の横幅よりも狭く形成され、この両者１１、２３にて軒樋Ｂの屋内側耳部Ｂ２を支持する屋内側耳支持部２４を構成している。
なお、上記支持腕２の両端部を除いた部分は下方に窪んで凹部２５を形成している。
【００１３】
そして、本発明においては、取付部１の全周面１３、つまり上面１３Ｕ、左右両側面１３Ｓ、１３Ｓおよび下面１３Ｌの厚み方向のほぼ中央には、半円形状の溝１４（１４Ｕ、１４Ｓ、１４Ｌ）が連続して形成されている。この溝１４の開口幅は取付部１の厚みの約１／３になされている。この溝１４は、軒樋吊り具Ａの支持腕２のほぼ水平な上面２１に落ちる雨水Ｗが、軒樋吊り具Ａの支持腕２の上面２１を伝わって鼻隠し板などの被固定面Ｂ側に流れてくるのを遮断する機能を有するものである。
【００１４】
上記実施例においては、取付部１の上面１３Ｕ、左右両側面１３Ｓ、１３Ｓおよび下面１３Ｌにわたって連続した半円形状の溝１４Ｕ、１４Ｓおよび１４Ｌが形成されているので、軒樋吊り具Ａの支持腕２の上面２１を伝わって被固定面Ｂ側に流れてくる雨水Ｗの流れを、取付部１の上面１３Ｕに形成した溝１４Ｕの部分にて遮断し、左右両側面１３Ｓ、１３Ｓおよび下面１３Ｌに設けられた溝１４Ｓ、１４Ｓおよび１４Ｌを通じて下方に落下させることができる。このため、雨水Ｗにより被固定面Ｂが汚れたり、腐食したりすることがない。
【００１５】
図４は本発明の他の変形例を示す斜視図である。
上記実施例と同一の部分については、同一の符合を付与して説明を省略する。上記実施例と異なるのは、取付部１の全周面１３の厚み方向のほぼ中央に形成された溝１４の形状がコ字状となされ、かつ、曲面状となされた取付部１の左右両側面１３Ｓ、１３Ｓの屋内側外周より屋外側に雨水を下方に誘導するガイド壁１５、１５が突設され、左右両側面１３Ｓ、１３Ｓの溝１４Ｓ、１４Ｓおよび下面１３Ｌの溝１４Ｌがガイド壁１５、１５にて覆われている点である。このガイド壁１５の突出高さは下方に向かうにつれて徐々に高くなされている。
この実施例の場合、取付部１の曲面状の外周部分はガイド壁１５にて覆われているので、横風などの影響を受けることなく、雨水Ｗを確実に下方に落とすことができる。
【００１６】
以上、本発明の実施例を図面により詳述してきたが、具体的な構成は上記の実施例に限定されず、本発明の要旨を逸脱しない範囲の設計変更などがあっても本発明に含まれる。
例えば、上記実施例では、取付部の全外周に溝を形成したが、取付部の下面においては溝を形成しなくてもよい。また、溝の形状はＵ字状、Ｖ字状、半楕円状であってもよい。さらに、取付部の上面において、溝の深さは上面全域においてほぼ同一としているが、中央から左右両端に向かって下り勾配となるようにすれば、雨水の落下速度を高めることができる。
【００１７】
また、取付部の上面を水平面でなく、屋内側に向かって上り勾配を有する傾斜面とし、この傾斜面に溝を形成してもよく、この場合、被固定面側に流れてくる雨水の流れが、まず溝の部分にて遮断されることになるが、万が一、大雨などの条件下で不充分な場合、上記傾斜面にて二次的な遮断がされることになる。
【００１８】
【発明の効果】
本発明の樋支持具においては、建物の被固定面に取り付けられる取付部の上面から側面にわたって連続した溝が形成されているので、支持腕の上面や軒樋の底部表面で跳ねた雨水や、直に支持腕に降った雨水が支持腕に付着し、支持腕の上面を伝わって被固定面側に流れていく雨水は、取付部の上面から側面にわたって連続して形成された溝の部分にて遮断され、この溝内に流れ込んだ雨水は溝を通じて下方に落下する。このため、雨水により建物の被固定面を濡らして汚すことがない。
従って、鼻隠し板などの被固定面が意匠的外観もすぐれ、耐久性が向上し長期間使用できる。
【００１９】
また、建物の被固定面に取り付けた樋支持具を被固定面より外す際に、バールやドライバーなどの治具を上記の溝、特に取付部の側面に形成した溝に引っかけて、建物の被固定面を傷つけることなく取り外し作業を行える。
【図面の簡単な説明】
【図１】本発明における樋支持具の一例である軒樋吊り具を示す斜視図である。
【図２】図１の軒樋吊り具の使用状態を示す説明図である。
【図３】図１のＸ−Ｘ線における切断端面図である。
【図４】本発明の他の変形例を示す斜視図である。
【符号の説明】
Ａ              軒樋吊り具（樋支持具）
Ｂ              被固定面
１              取付部
２              支持腕
１３Ｕ          上面
１３Ｓ          側面
１４            溝
【図１】
0003542848.tif 000002
【図２】
0003542848.tif 000003
【図３】
0003542848.tif 000004
【図４】
0003542848.tif 000005